(57)【要約】  アングルアウトレットを有する実施例のポンプ、リフィルユニット及びディスペンサーがここに開示されている。実施例のハンド上に流体をディスペンスするリフィルユニットはコンテナとポンプを含む。ポンプはアングルアウトレット通路を含む。アングルアウトレット通路から流出する流体は流体がディスペンスされるときハンドの掌に向けられている。
2017505658.tif 000002
【特許請求の範囲】
【請求項１】
ハンド上のディスペンサー流体用リフィルユニットであって以下の：
コンテナ；、
ポンプ；、
前記ポンプであってアングルアウトレット通路を有するポンプ；、
を含み、流体がディスペンスされるとき前記アングルアウトレット通路から流出する流体がハンドの掌に向けられているリフィルユニット。
【請求項２】
前記ポンプはフォームポンプであり、かつ前記アングルアウトレット通路はフォームゼネレータの下流にある請求項１記載のリフィルユニット。
【請求項３】
前記アングルアウトレット通路の角度は垂直軸から約５度と約３０度の間である請求項１記載のリフィルユニット。
【請求項４】
前記アングルアウトレット通路の長さは約１／８”よりも大きい請求項１記載のリフィルユニット。
【請求項５】
前記アングルアウトレット通路の長さは約１／４”よりも大きい請求項１記載のリフィルユニット。
【請求項６】
前記アングルアウトレット通路の長さは約１”よりも小さい請求項１記載のリフィルユニット。
【請求項７】
前記アングルアウトレット通路の長さは約２”よりも小さい請求項１記載のリフィルユニット。
【請求項８】
前記リフィルユニットディスペンサー内へインストールされるときハンドの掌に向けてアングルアウトレットをアラインするアライメント部材をさらに含む請求項１記載のリフィルユニット。
【請求項９】
前記ポンプのオペレーション中前記アングルアウトレット通路は上下に動く請求項１記載のリフィルユニット。
【請求項１０】
前記アングルアウトレット通路は前記ポンプのオペレーション中静止している請求項１記載のリフィルユニット。
【請求項１１】
前記アングルアウトレットはリキッドピストンをさらに含み、前記アングルアウトレットの角度が前記リキッドピストンの運動に並行でもあるいは垂直でもない請求項１記載のリフィルユニット
【請求項１２】
リフィルユニットであって以下の：
コンテナ；、
ポンプ；、
前記コンテナと前記ポンプの少なくとも部分を通り伸びている垂直軸
前記ポンプであってアウトレット通路を有する前記ポンプ；、
を含み、前記アウトレット通路の少なくとも部分が前記垂直軸からある角度で伸びているリフィルユニット。
【請求項１３】
前記ポンプはフォームポンプであり、前記アングルアウトレット通路はフォームゼネレータの下流にある請求項１２記載のリフィルユニット。
【請求項１４】
前記アウトレット通路の角度は垂直軸から約５度と約３０度の間である請求項１２記載のリフィルユニット。
【請求項１５】
前記アウトレット通路の長さは約１／８”よりも大きい請求項１２記載のリフィルユニット。
【請求項１６】
前記アウトレット通路の長さは約１／４”よりも大きい請求項１２記載のリフィルユニット。
【請求項１７】
前記アウトレット通路の長さは約１”よりも小さい請求項１記載のリフィルユニット。
【請求項１８】
ディスペンサー用のポンプであって以下の：
圧縮可能なリキッドチャンバー；、
ワンウェイリキッドインレットバルブ；、
ワンウェイリキッドアウトレットバルブ；そして、
アングルアウトレット通路；
を含み、前記アングルアウトレット通路は垂直軸から約５度と約３５度の間のある角度で前記ポンプから流体を向けるポンプ。
【請求項１９】
前記アングルアウトレット通路は前記ポンプのオペレーション中、上下に動く請求項１８記載のポンプ。
【請求項２０】
前記アングルアウトレット通路は前記ポンプのオペレーション中静止している請求項１８記載のポンプ。
【発明の詳細な説明】
【関連出願】
【０００１】
本出願は２０１４年１月１５日に出願された米国特許仮出願第６１／９２７，７５６号「アングルアウトレット付のポンプ、リフィルユニット及びアングルアウトレットを有するディスペンサー」の優先権とその利益を主張し、これらの出願の内容は本出願に組み込まれたものとする。
【技術分野】
【０００２】
本発明は、概して、リキッドディスペンサーシステムに関し、より詳細には、アングルアウトレット付のポンプ、リフィルユニット及びアングルアウトレットを有するディスペンサーに関する。
【背景技術】
【０００３】
リキッドディスペンサーシステム、リキッドソープ及びサニタイザーディスペンサー等は、ディスペンサーの作動と同時に所定の量のリキッドをユーザーに供給する。ソープとローション用の倒立ディスペンサーは、しばしば、下向きに伸びるアウトレットを有し、流体をユーザーのハンド上にひと山直下にディスペンスする。ソープ又はローションをひと山の代わりにユーザーのハンドにわたってディスペンスすることがより望ましいことが発見された。
【発明の概要】
【発明が解決しようとする課題】
【０００４】
ポンプ、リフィルユニット及びディスペンサーでアングルアウトレットを有する実施例がここに開示されている。ハンドの上に流体をディスペンスするためのリフィルユニットの実施例は、コンテナ及びポンプを含む。ポンプはアングルアウトレット通路を含む。アングルアウトレット通路から流れ出る流体は、流体がディスペンスされるときハンドの掌に向けられている。
【０００５】
もう一つの倒立ディスペンサー用のリフィルユニットの実施例は、コンテナとポンプを含む。垂直軸はコンテナと少なくともポンプの一部を通り伸びている。ポンプは、アウトレット通路と垂直軸から傾いて伸びているアウトレット通路の少なくとも一部を有する。
【０００６】
実施例のポンプは、圧縮可能なリキッドチャンバー、ワンウェイリキッドインレットバルブとワンウェイリキッドアウトレットバルブを含む。加えて、ポンプは、アングルアウトレット通路を含む。アングルアウトレット通路はポンプから流体を垂直軸から約５と約３５度の間の角度で放出する。
【０００７】
このように、シンプルで経済的なアパラタスと流体をディスペンスする方法が提供される。
【図面の簡単な説明】
【０００８】
これら及び他の本発明の特徴と利点は、以下の記述と添付図面についてよりよく理解されるであろう、すなわち：
【０００９】
図１は、垂直ディスペンスムーブメントとリフィルユニットを備えるポンプのためのリキッドディスペンサーの実施例の断面図であり
【００１０】
図２は、水平ディスペンスムーブメントとリフィルユニットを備えるポンプのためのリキッドディスペンサーの実施例の断面図であり；、
【００１１】
図３は、アングルアウトレットを有する垂直フォームポンプの一実施形態の部分断面図であり；、
【００１２】
図４は、アングルアウトレットを有する垂直リキッドポンプの一実施形態の部分断面図であり； 
【００１３】
図５は、アングルアウトレットを有する水平フォームポンプの一実施形態の部分断面図であり；そして、
【００１４】
図６は、アングルアウトレットを有する水平リキッドポンプの一実施形態の部分断面図であり； 
【発明を実施するための最良の形態】
【００１５】
図１は、ディスペンサー１００の一実施形態を描く。図１の断面は、ハウジング１０２をとおしポンプ１２０とコンテナ１１６を示すためにとられている。ディスペンサー１００は、ディスポーザル可能なリフィルユニット１１０を含む。ディスポーザル可能なリフィルユニット１１０は、ポンプ１２０にコネクトされているコンテナ１１６を含む。ディスペンサー１００は壁掛けシステム、カウンターマウントシステム、据付されず場所から場所へ移動可能であるポータブルシステムあるいは他のリキッドディスペンサーシステムの類でよい。ディスペンサー１００はフォームディスペンサーあるいはリキッドディスペンサーでもよい。
【００１６】
コンテナ１１６は、サプライリキッド（フォーム可能でもよい）を内蔵するリキッドリザーバーをディスポーザルリフィルユニット１１０内に形成する。様々な実施形態では、内蔵のリキッドは、例えば、ソープ、サニタイザー、クレンザー、抗菌剤が可能である。実施例では、ディスポーザル可能なリフィルユニット１１０、コンテナ１１６は折り畳み可能なコンテナであり、又は折畳み可能でないコンテナであり、薄いプラスチックあるいはその類から成ってよい。コンテナ１１６は、有利には、リフィル可能であり、交換可能であり、あるいはリフィル可能かつ交換可能であってもよい。
【００１７】
インストールされたディスポーザルリフィルユニット１１０のコンテナ１１６内にストアされているリキッドが尽きたり、あるいはインストールされたディスポーザルリフィルユニット１１０がその他故障したりする事象が発生すると、インストールされたリフィルユニット１１０はディスペンサー１００から取り外し可能である。空のあるいは故障したディスポーザルリフィルユニット１１０は、それから新しいディスポーザルリフィルユニット１１０に交換可能である。
【００１８】
ディスペンサー１００のハウジング１０２は、ポンプ１２０をアクチュエートする一又は複数のアクチュエーター部材１０４を内蔵する。ここで用いられているように、アクチュエーター又はアクチュエーター部材又は機構はディスペンサー１００にリキッド、エアー又はフォームを移動させる一又は複数のパーツを含む。フォームディスペンサー１００に使用され得るポンプアクチュエーターには多くの異なる種があるのでアクチュエーター１０４は一般的に描かれている。ディスペンサー１００のアクチュエーター１０４は次のようなどのようなタイプのアクチュエーター、例えば、マニュアルレバー、マニュアルプルバー、マニュアルプッシュバー、マニュアルローテーション可能なクランク、電気駆動のアクチュエーターあるいはポンプ１２０をアクチュエーターするための他の手段であってよい。電気アクチュエーターは付加的に物体の現出を検知するセンサー１３２を含んでもよく、タッチレスオペレーションでハンズフリーディスペンサーシステムを提供する。様々な中間リンクが、サンプルリンク１０５のように、システムハウジング１０２内でアクチュエーター部材１０４をポンプ１２０にコネクトする。アパーチャ１１５はハウジング１０２のボトムプレート１０３に位置されリキッドがポンプ１２０のノズル１２５からユーザーにディスペンスされるのを可能とする。
【００１９】
図２は、フォームディスペンサー２００の一実施形態を描く。図２の断面はハウジング２０２をとおして描かれフォームポンプ２２０とコンテナ２１６を示す。フォームディスペンサー２００はディスポーザル可能なリフィルユニット２１０を含む。ディスポーザル可能なリフィルユニット２１０は、折畳み可能でないコンテナ２１６を含みフォームポンプ２２０にコネクトされている。フォームディスペンサー２００は壁掛けシステム、カウンターマウントシステム、据付されず場所から場所へ移動可能であるポータブルシステムあるいは他のリキッドディスペンサーシステムの類でよい。ここに記述されているいくつかの実施形態では、フォームポンプを含む；すなわち、これらはリキッドポンプとエアーコンプレッサーを内蔵する。しかし、ここに記述されている発明のアングルアウトレットシステムは、エアーコンプレッサーを含まないリキッドポンプで等しくワークする。
【００２０】
コンテナ２１６は、ディスポーザル可能なリフィルユニット２１０内に、フォーム可能であるリキッドのサプライを内蔵するリキッドリザーバーを形成する。様々な実施形態では、内蔵リキッドはソープ、サニタイザー、クレンザー、抗菌剤あるいは他のフォーム可能な又はフォーム可能でないリキッドであり得る（リキッドのみのポンプのケースでは）。実施例では、ディスポーザル可能なリフィルユニット２１０、コンテナ２１６は、折畳み可能でないコンテナであり、薄いプラスチックの類の材料から成り得る。他の実施形態では、コンテナ２１６は、リジッドハウジング部材、あるいは、漏れがなくフォーム可能であるリキッドを内蔵する他のどのような好適なコンフィグレーションも可能である。コンテナ２１６は、有利には、リフィル可能、交換可能であり、あるいは、リフィル可能かつ交換可能であってもよい。
【００２１】
インストールされているディスポーザル可能なリフィルユニット２１０のコンテナ２１６内に蓄えられているリキッドが尽きる場合、あるいは、インストールされているリフィルユニット２１０がその他故障する場合、インストールされているリフィルユニット２１０はフォームディスペンサー２００から取り外し可能である。空の又は故障のディスポーザル可能なリフィルユニット２１０は、それから新しいディスポーザル可能なリフィルユニット２１０に交換可能である。
【００２２】
一実施形態では、フォームディスペンサー２００のハウジング２０２は、コンテナ２１６の周囲が途中まで延びてそれによって少なくともコンテナ２１６の部分が露出している。このような実施形態は、リキッドがポンプアウトされるとき折畳み可能でないコンテナを有し、美しい。フォームディスペンサー２００のハウジング２０２はポンプ２２０をアクティベートする一又は複数のアクチュエーター部材２０４を内蔵する。ここで用いられているようにアクチュエーター又はアクチュエーター部材又は機構はディスペンサー２００にリキッド、エアー又はフォームを移動させる一又は複数のパーツを含む。フォームディスペンサー２００に使用可能なポンプアクチュエーターには多くの異種のものがあるから、アクチュエーター２０４は一般的に描かれている。フォームディスペンサー２００のアクチュエーターは次のどのようなタイプのアクチュエーターでもよく、例えば、マニュアルレバー、マニュアルプルバー、マニュアルプッシュバー、マニュアルローテンション可能なクランク、電気駆動のアクチュエーターあるいはリキッドポンプ部２２４とエアーコンプレッサー部２２２を含むフォームポンプ２２０をアクチュエーターするための他の手段であってよい。電気的アクチュエーターは付加的にセンサー(図示しない)を含みタッチレスオペレーションでハンズフリーディスペンサーシステムを提供可能であってもよい。一実施形態では、アクチュエーター２０４はヒンジ部材２０６によってハウジング２０２へコネクトされている。様々な中間リンクが、サンプルリンク２０５のように、アクチュエーター部材２０４をフォームポンプ２２０へシステムハウジング２０２内でコネクトする。一実施形態では、リンク２０５は、ピストンの端点で(図示しない)、ボールにスナップオンする(図示しない)、ソケット２０７を有する。ハウジング２０２のボトムプレート２０３のアパーチャ２１５はフォームがフォームポンプ２２０のノズル２２５からユーザーへディスペンスされるのを可能とする。
【００２３】
図３は、フォームポンプ３００の例示的実施形態の部分断面図である。フォームポンプ３００は流体をディスペンスするのに垂直の上下運動を使用する。フォームポンプ３００はどのような垂直動作するフォームポンプでもよく、次に掲げるようなものでよく、例えば、ここに全体が取り込まれている、２００８年１２月３日のU.S. Pat. 8,272,539で開示されている、タイトル、アングルスロットフォームディスペンサーや２０１３年１月２３日のU.S. Pat. App. 13/747,881に開示されているプルフォームポンプ、タイトル、プルポンプ、リフィルユニット及びプルポンプ用のディスペンサーもまたここに参照によって取り込まれている。これらのフォームポンプの作用はここに開示されている発明ポンプと同様でもあるが、アウトレット３２０がアングルアウトレットであってフォームアウトプットを提供して従来技術のアウトレットよりもユーザーのハンドの上をより広くカバーする点で異なる。
【００２４】
フォームポンプ３００は、ディスペンサー(図示しない)のアクチュエーター(図示しない)を係合するアクチュエーター係合部材３１５を含む。加えて、フォームポンプ３００はリキッドインレット通路３０２を含む。フォームポンプ３００は圧縮可能なエアーチャンバー３０４や圧縮可能なエアーチャンバーからリキッドインレット通路３０２へ至るエアーインレットアパーチャ３０６をも含む。フォームポンプ３００は、スクリーン３１０のペアを含むフォーミングチャンバー３０８を含む。この例示的実施形態では、フォーミングチャンバー３０８の下にあるのは、じょうご形の通路３１９である。アングルアウトレット３２０はポンプ３００の端にある。ポンプ３００のセンターライン３２２は図３に描かれている。センターライン３２４はアングルアウトレット３２０のセンターにある。いくつかの実施形態では、センターライン３２２とアングルアウトレット３２０のセンターライン３２４のなす角度Ａは、約５度と約３０度の間である。アングルアウトレット３２０はフォームが従来技術のフォームディスペンサーよりもユーザーのハンド上のより広いエリアにディスペンスされることを可能とする。いくつかの実施形態では、アングルアウトレット３２０の長さは約１／８”より大であり、いくつかの実施形態では、アングルアウトレット３２０は約１／４”より大であり、いくつかの実施形態では、アングルアウトレットは約１”より小であり、いくつかの実施形態では、長さは約２”より小さく、いくつかの実施形態では、長さは約２”より小さい。
【００２５】
図４は、リキッドポンプ４００の例示的実施形態の部分断面図である。リキッドポンプ４００は流体をディスペンスするのに垂直上下運動を用いる。リキッドポンプ４００は、どのような垂直運動のリキッドポンプでもよく、例えば、次のような、２００７年7月３０日のＵＳ特許登録番号8,002,150、タイトル、ソープディスペンサーポンプピストン用のスプリット係合フランジで開示されているリキッドポンプでもよく、それはここにその全体が参照され取り込まれている。加えて、上記に開示されているフォームポンプは修正されてエアーポンプ部分を取り除きリキッドポンプにしてもよい。これらのリキッドポンプの作用はここに開示されている発明ポンプと同様であるが、アウトレット４２０がアングルアウトレットであって従来技術のアウトレットに比してより広いエリアをカバーするリキッドアウトプットを提供する点で異なる。リキッドポンプ４００は、ディスペンサー(図示しない)のアクチュエーター(図示しない)を係合するアクチュエーター係合部材４１５を含む。リキッドポンプ４００はリキッドインレット通路４０２を含む。アングルアウトレット４２０はポンプ４００の端にある。リキッドアウトレット４２０の長さはフォームポンプ３００に描かれているリキッドアウトレットの長さよりも長いが、しかし、リキッドアウトレット４２０はそれがリキッドをある角度で放出してハンド上のアウトプットのエリアが真直ぐに垂直にディスペンスするアウトレットのエリアよりも大きい限りどのような長さでもよい。いくつかの実施形態では、アングルアウトレット４２０の長さは約１／８”よりも大きく、いくつかの実施形態では、アングルアウトレット４２０は約１／４”よりも大きく、いくつかの実施形態では、アングルアウトレット４２０は約１”よりも小さくそしていくつかの実施形態では、アングルアウトレット４２０は約２”よりも小さい。ポンプ４００のセンターライン４２２は図４に描かれている。センターライン４２４はアングルアウトレット４２０のセンターにある。いくつかの実施形態では、センターライン４２２とアングルアウトレット４２０のセンターライン４２４のなす角度Ｂは、約５度と約３０度の間である。アングルアウトレット４２０はリキッドが従来技術のリキッドディスペンサーに比してより広いエリアにディスペンスされることを可能とする。
【００２６】
図５は、フォームポンプ５００の例示的実施形態の部分断面図である。フォームポンプ５００は流体をディスペンスするのに水平運動を用いる。フォームポンプ５００は、どのような水平運動のリキッドポンプでもよく、例えば、次のような、ＵＳ特許出願番号13/792,115、２０１３年３月１０日出願、タイトル、水平ポンプ、リフィルユニット及びフォームディスペンサーで開示されているフォームポンプでもよく、それはここにその全体が参照され取り込まれており、ＵＳ特許出願番号13/747,909、２０１３年１月２３日出願、タイトル、コンテナポンプを備えるポンプで開示されているフォームポンプでもよく、これもその全体が取り込まれている。これらのフォームポンプの作用はここに開示されている発明ポンプと同様であるが、アウトレット５２０がアングルアウトレットであって従来技術のアウトレットに比してより広いエリアをカバーするフォームアウトプットを提供する点で異なる。フォームポンプ５００はリキッドアウトレットバルブ５０２とリキッド通路５０４を含む。加えて、フォームポンプ５００は圧縮可能エアーチャンバー(図示しない)とエアーインレットアパーチャ５０６からリキッドインレット通路５０４へ至るエアー通路５０５を含む。エアーとリキッドは通路５０４で一緒に混合されてフォームスクリーン５１０をパススルーする。アングルアウトレット５２０はポンプ５００の端にある。ポンプ５００のセンターライン５２２が図５に描かれている。センターライン５２４は”よりも大きく、いくつかの実施形態では、アングルアウトレット５２０は約１／４”よりも大きく、いくつかの実施形態では、アングルアウトレット５２０は約１”よりも小さくそしていくつかの実施形態では、長さは約２”よりも小さい。
【００２７】
図６は、リキッドポンプ６００の例示的実施形態の部分断面図である。リキッドポンプ６００は流体をディスペンスするのに水平運動を用いる。リキッドポンプ６００は、どのような垂直運動のリキッドポンプでもよく、例えば、上述の参照によってエアーコンプレッサー部、空気通路、フォームカートリッジやフォームスクリーンなしで取り込まれている水平フォームポンプのリキッドポンプ部でよい。これらのリキッドポンプの作用はここに開示されている発明ポンプと同様であるが、アウトレット６２０がアングルアウトレットであって従来技術のアウトレットに比して同量の流体でより広いエリアをカバーするリキッドアウトプットを提供する点で異なる。リキッドポンプ６００は、その部分が示されているリキッドピストン６０５を含む。リキッドポンプ６００はリキッドアウトレットバルブ６０２とリキッド通路６０３を含む。アングルアウトレット６２０はポンプ６００の端にある。リキッドアウトレット６２０はどのような長さでもハンド上のアウトプットエリアが真直ぐ垂直にディスペンスするアウトレットエリアよりも広い角度でリキッドを排出する限度の長さであればよい。いくつかの実施形態では、アングルアウトレット６２０の長さは約１／８”よりも大きく、いくつかの実施形態では、アングルアウトレット６２０は約１／４”よりも大きく、いくつかの実施形態では、アングルアウトレット６２０は約１”よりも小さくそしていくつかの実施形態では、長さは約２”よりも小さい。ポンプ６００のセンターライン６２２は図６に描かれている。いくつかの実施形態では、センターライン６２２とアングルアウトレット６２０のセンターライン６２４のなす角度Ｄは、約５度と約３０度の間である。アングルアウトレット６２０はリキッドが従来技術のリキッドディスペンサーに比してより広いエリアにディスペンスされることを可能とする。
【００２８】
加えて、コンテナ及び又はポンプは、一又は複数のアライメント部材を含んでもよく、図示はしないが、これらはユーザーの掌に向かう角度へアウトレットを向けるようにリフィルユニット又はポンプをディスペンサー内にインストールさせている。アライメント部材は、キー、リッジ（ridge）、グルーブ、タブあるいはその類でもよい。
【００２９】
本発明が、ここに記載された実施形態に描かれ、実施形態は、かなり詳細に記載されているが、出願人は、添付する特許請求の範囲をいかようにも制限、限定する意図はない。追加の利点や修正は、当業者に理解される。したがって、発明は、広い面で、特定の詳細事項、開示され、記載されている各々の機器及び／又は実施例に限定されない。したがって、出願人の一般的発明概念の精神とスコープから乖離しないで、これらの詳細から離れることもあり得る。
【図１】
2017505658.tif 000003
【図２】
2017505658.tif 000004
【図３】
2017505658.tif 000005
【図４】
2017505658.tif 000006
【図５】
2017505658.tif 000007
【図６】
2017505658.tif 000008
【国際調査報告】
2017505658.tif 000009
2017505658.tif 000010